(57)【要約】【課題】外部から振動や衝撃力が加わっても、雑音が発生しないようにしたコンデンサーマイクロホンを得る。【解決手段】コンデンサーマイクロホンユニット５と、コンデンサーマイクロホンユニット５の出力をインピーダンス変換するインピーダンス変換器を含む回路部１１が一体化されてサブ組立体５０が構成され、サブ組立体５０の重心部がマイクロホンケース１内で弾性支持されている。マイクロホンケース１が縦型の場合、サブ組立体５０はコンデンサーマイクロホンユニット５が上側に回路部１１が下側に配置されて一体化され、コンデンサーマイクロホンユニット５と回路部１１の中間部にサブ組立体５０の重心部を位置させる。【選択図】図１
2006217003.tif 000002
【特許請求の範囲】
【請求項１】
コンデンサーマイクロホンユニットと、このコンデンサーマイクロホンユニットの出力をインピーダンス変換するインピーダンス変換器を含む回路部が一体化されてサブ組立体が構成され、
上記サブ組立体の重心部がマイクロホンケース内で弾性支持されていることを特徴とするコンデンサーマイクロホン。
【請求項２】
マイクロホンケースは縦型で、サブ組立体はコンデンサーマイクロホンユニットが上側に回路部が下側に配置されて一体化され、コンデンサーマイクロホンユニットと回路部の中間部にサブ組立体の重心がある請求項１記載のコンデンサーマイクロホン。
【請求項３】
コンデンサーマイクロホンユニットと回路部が一体化されてなるサブ組立体の上記コンデンサーマイクロホンユニットと回路部が電線でつながれている請求項１記載のコンデンサーマイクロホン。
【発明の詳細な説明】
【技術分野】
【０００１】
本発明は、コンデンサーマイクロホンに関するもので、特に、いわゆるサイドエントリー型コンデンサーマイクロホンにおいて有効な振動対策構造に関するものである。
【背景技術】
【０００２】
コンデンサーマイクロホンは、マイクロホンケース内にコンデンサーマイクロホンユニット、インピーダンス変換器を含む電気回路などを内蔵し、信号を外部に出力するためのコネクタを備えてなる。マイクロホンケース内にコンデンサーマイクロホンユニットを支持するに当たり、外部からの振動や衝撃がマイクロホンユニットに伝達されることによって雑音とならないように、ショックマウントを介してマイクロホンユニットを支持している。
【０００３】
スタジオ内で使用されるコンデンサーマイクロホンに、サイドエントリー型と称するマイクロホンがある。これは、筒状マイクロホンケースの側部が集音軸となっている形式のマイクロホンである。すなわち、筒状マイクロホンケースが垂直に立っているとすれば、コンデンサーマイクロホンユニットの振動板も垂直方向に立っていて、マイクロホンケースの側部から、したがって水平方向から音波が導入される。
【０００４】
上記サイドエントリー型コンデンサーマイクロホンの従来例を図３、図４に示す。図３、図４において、マイクロホンケース１内には、固定台２が支柱３や止めねじを含む適宜の固定手段によって固定され、固定台２の上端部にはショックマウント４が嵌められて固定されている。ショックマウント４は、固定台２への嵌合部４３と、コンデンサーマイクロホンユニット５を支持するための取り付け軸４２を有するとともに、上記嵌合部４３と取り付け軸４２との間に、外力が加わったときに撓むことができる緩衝部４１を有している。ショックマウント４の取り付け軸４２には、コンデンサーマイクロホンユニット５の支持枠６と一体に形成された管軸６１が嵌められ、止めねじなどによって取り付け軸４２と管軸６１が結合され、コンデンサーマイクロホンユニット５が縦方向に、すなわちその振動板５１の振動面を垂直方向に向けて取り付けられている。
【０００５】
コンデンサーマイクロホンユニット５自体の構成は、従来周知のコンデンサーマイクロホンユニットの構成と同様に、上記支持枠６の内周側に固定された固定極５２と、この固定極５２に適切な間隙をおいて対向させて配置された振動板５１を有してなる。また、固定極５２に成極電圧を印加し、また、音波を受けて振動板５１が振動し、振動板５１と固定極５２との間の間隙が変化することによって振動板５１と固定極５２との間の静電容量の変化を電圧の変化として取り出すための電線９が、マイクロホンケース１内の底部に固定された回路基板１０とコンデンサーマイクロホンユニット５を接続している。コンデンサーマイクロホンユニット５の出力インピーダンスは高いため、低インピーダンスに変換するインピーダンス変換器が回路基板１０に組み込まれている。マイクロホンケース１の下端部には、マイクコードを介して外部と電気的に接続するためのコネクタ８が設けられている。マイクロホンケース１の上端にはマイクロホンケースの一部ともいえるカバー７が被せられ、マイクロホンユニット５を覆っている。カバー７は通常金網状の素材で作られ、風防としても機能する。以上説明した構成に類似する構成を開示した文献として、例えば、特許文献１を挙げることができる。
【０００６】
図３、図４に示す従来例によれば、ショックマウント４を介してマイクロホンユニット５を片持ち的に支持しているため、マイクロホンケース１やカバー７に外部から振動や衝撃が加わると、固定台２はマイクロホンケース１とともに移動するのに対し、マイクロホンユニット５は慣性力でその場に留まろうとしてショックマウント４の緩衝部４３が撓み、振動や衝撃がマイクロホンユニット５に伝達されるのを軽減することができる。したがって、上記緩衝部４１をできるだけ柔らかくすることが雑音防止上望ましいように思われるが、緩衝部４１が柔らかすぎると、図４に矢印で示すように、僅かな振動や衝撃でマイクロホンユニット５が首を振るようにして加速度的に振動し、かえって振動雑音が増加する結果となる。
【０００７】
上記のように、マイクロホンユニット５はショックマウント４を介してマイクロホンケース１内に弾性的に支持されるが、インピーダンス変換器を含む電気回路１０はマイクロホンケース１内に固定されている。この固定された電気回路１０とマイクロホンユニット５の間を電線９で接続しているため、振動や衝撃でマイクロホンユニット５が振動しようとすると、マイクロホンユニット５の振動に対して電線９が抵抗となり、さらには電線９自体が振動して、振動板５１と固定極５２との間の静電容量が変化し、音波を受けて発生する音以外の雑音を発生することになる。
【０００８】
【特許文献１】特開２００３−９２７９２号公報
【発明の開示】
【発明が解決しようとする課題】
【０００９】
本発明は、以上説明した従来技術の問題点を解消するためになされたもので、外部から振動や衝撃力が加わっても、雑音が発生しないようにしたコンデンサーマイクロホンを提供することを目的とする。
【課題を解決するための手段】
【００１０】
本発明は、コンデンサーマイクロホンユニットと、このコンデンサーマイクロホンユニットの出力をインピーダンス変換するインピーダンス変換器を含む回路部が一体化されてサブ組立体が構成され、サブ組立体の重心部がマイクロホンケース内で弾性支持されていることを最も主要な特徴とする。
【発明の効果】
【００１１】
コンデンサーマイクロホンユニットと回路部が一体化されることによって構成されたサブ組立体の重心部がマイクロホンケース内に弾性支持されているため、マイクロホンケースに外部から振動や衝撃が加わったとき、サブ組立体は平行移動するように動き、従来のように首を振るようにして動くものではなく、緩慢な動きになるため、雑音の発生が軽減される。また、コンデンサーマイクロホンユニットと回路部をつなぐ電線も上記サブ組立体に含まれることになり、振動や衝撃が加わったとき、上記電線もサブ組立体と一体に移動して、振動板の動きに対する抵抗とはならないから、この点からも雑音の低減に寄与する。
【発明を実施するための最良の形態】
【００１２】
以下、本発明にかかるコンデンサーマイクロホンの実施例を、図１、図２を用いて説明する。なお、図３、図４について説明した従来例の構成と同じ構成部分には同じ符号を付した。図１、図２に示す実施例は、いわゆるサイドエントリー型コンデンサーマイクロホンの例である。
【００１３】
図１、図２において、マイクロホンケース１内には、固定台２が支柱３や止めねじを含む適宜の固定手段によって固定され、固定台２の上端部にはショックマウント４が嵌められて固定されている。ショックマウント４は、固定台２への嵌合部４３と、コンデンサーマイクロホンユニット５を支持するための取り付け軸４２を有するとともに、上記嵌合部４３と取り付け軸４２との間に、外力が加わったときに撓むことができる緩衝部４１を有している。ショックマウント４の上記取り付け軸４２には、コンデンサーマイクロホンユニット５の支持枠６と一体に形成された管軸６１が嵌められ、止めねじなどによって取り付け軸４２と管軸６１が結合され、コンデンサーマイクロホンユニット５が縦方向に、すなわちその振動板５１の振動面を垂直方向に向けて取り付けられている。
【００１４】
コンデンサーマイクロホンユニット５自体の構成は、従来周知のコンデンサーマイクロホンユニットの構成と同様に、上記支持枠６の内周側に固定された固定極５２と、この固定極５２に適切な間隙をおいて対向させて配置された振動板５１を有してなる。
【００１５】
この実施例が、従来例である図３、図４に示す例と異なるのは、コンデンサーマイクロホンユニット５とこのコンデンサーマイクロホンユニットの出力をインピーダンス変換するインピーダンス変換器１３を含む回路部１１が一体化されてサブ組立体５０が構成されていること、そして、上記サブ組立体５０の重心部がマイクロホンケース１内で弾性支持されていることである。「弾性支持」とは、図１の例に即して言えば、ショックマウント４の緩衝部４１を介して支持することである。緩衝部４１は弾性を有していて、緩衝部４１が撓むことによってケース１とサブ組立体５０との相対移動を許容し、また、サブ組立体５０を復帰させることができる。図１、図２に示す実施例はいわゆるサイドエントリー型コンデンサーマイクロホンであるから、マイクロホンケース１およびカバー７からなるマイクロホンの筐体は縦型で、サブ組立体５０はコンデンサーマイクロホンユニット５が上側に、回路部１１が下側に配置されて一体化されることにより構成され、上側のコンデンサーマイクロホンユニット５と下側の回路部１１の中間部にサブ組立体５０の重心が位置するように構成されている。マイクロホンユニット５は、振動板５１および固定極５２が垂直面をなすように立ち上がっている。
【００１６】
固定極５２に成極電圧を印加し、また、音波を受けて振動板５１が振動し振動板５１と固定極５２との間の間隙が変化することによって振動板５１と固定極５２との間の静電容量の変化を電圧の変化として取り出すための電線９が、上記回路部１１とコンデンサーマイクロホンユニット５を接続している。コンデンサーマイクロホンユニット５の出力インピーダンスは高いため、低インピーダンスに変換するインピーダンス変換器１３が回路部１１に組み込まれている。インピーダンス変換器１３は電界効果トランジスタ（ＦＥＴ）などの能動素子を有してなり、回路部１１の重量はマイクロホンユニット５の重量とバランスをとるのに好都合な重量になっている。
【００１７】
マイクロホンケース１の下端部には、マイクロホンコードを介して外部と電気的に接続するためのコネクタ８が設けられている。マイクロホンケース１の上端にはマイクロホンケースの一部ともいえるカバー７が被せられ、マイクロホンユニット５を覆っている。カバー７は通常金網状の素材で作られ、風防としても機能する。
【００１８】
以上説明した実施例によれば、コンデンサーマイクロホンユニット５と回路部１１が一体化されることによって構成されたサブ組立体５０の重心部がマイクロホンケース１内に緩衝部４１を介して弾性的に支持されているため、マイクロホンケース１に外部から振動や衝撃が加わったとき、サブ組立体５０は平行移動するように動く。この動きは、従来のコンデンサーマイクロホンに見られるような、首を振るようにして加速度的に動くものではなく、緩慢な動きであるため、振動や衝撃が加わったときの雑音の発生が軽減される。また、コンデンサーマイクロホンユニット５と回路部１１をつなぐ電線１２も上記サブ組立体５０に含まれることになり、振動や衝撃が加わったとき、上記電線１２もサブ組立体５０と一体に移動して、マイクロホンユニット５の振動板５１の動きに対する抵抗とはならないから、この点からも雑音の低減に寄与する。
【産業上の利用可能性】
【００１９】
図示の実施例は、いわゆるサイドエントリー型コンデンサーマイクロホンの例であったが、本発明の技術思想は、形式にこだわることなくコンデンサーマイクロホン一般に適用可能である。
【図面の簡単な説明】
【００２０】
【図１】本発明にかかるコンデンサーマイクロホンの実施例を示す正面断面図である。
【図２】上記実施例の左側面断面図である。
【図３】従来のコンデンサーマイクロホンの例を示す正面断面図である。
【図４】上記従来例の左側面断面図である。
【符号の説明】
【００２１】
１    マイクロホンケース
４    ショックマウント
５    コンデンサーマイクロホンユニット
１２    電線
４１    緩衝部
５１    振動板
【図１】
2006217003.tif 000003
【図２】
2006217003.tif 000004
【図３】
2006217003.tif 000005
【図４】
2006217003.tif 000006